(57)【要約】【課題】  セクタアドレスと記録領域の先頭位置とを簡易かつ正確に検出する。【解決手段】  光ディスク装置内の同期／復調部１５は、同期検出部２１と、信号復調部２２と、信頼性判定部２３と、ヘッダ領域検出部２４と、アドレス情報位置判定部２５と、アドレス情報間隔計測部２６と、アドレス情報位置判定結果保持部２７と、アドレス情報位置判定動作選択部２８と、記録領域開始位置判定部２９と、PID保持部３０と、セクタアドレス確定部３１とを有する。PIDnOKパルスが出現すると予測される位置に予め予測ウインドウを設定し、PIDnOKパルスが予測ウインドウ内に出現したか否かにより、PIDnOKパルスの位置が正常かどうかを判定するため、記録領域の開始位置を正しく予測できる。【選択図】  図１
2007026548.tif 000002
【特許請求の範囲】
【請求項１】
光ディスクのヘッダ領域を検出するヘッダ領域検出手段と、
前記ヘッダ領域に記録された複数のアドレス情報を検出するヘッダアドレス情報検出手段と、
前記ヘッダ領域内に前記複数のアドレス情報が存在すると予測される範囲を設定する範囲設定手段と、
前記ヘッダアドレス情報検出手段にて検出された前記複数のアドレス情報が前記範囲設定手段にて設定された範囲内に位置するか否かを判定する位置判定手段と、
前記位置判定手段の判定結果に基づいて、前記光ディスク内の前記ヘッダ領域に続いて配置される記録領域内のアクセスすべき開始位置と前記ヘッダ領域に対応するセクタアドレスとを予測する先頭位置予測手段と、を備えることを特徴とする光ディスク装置。
【請求項２】
光ディスクのヘッダ領域を検出するヘッダ領域検出手段と、
前記ヘッダ領域に記録された複数のアドレス情報を検出するヘッダアドレス情報検出手段と、
前記ヘッダアドレス情報検出手段にて検出された一部の前記アドレス情報の位置からの間隔に基づいて、前記ヘッダ領域内の残りの前記アドレス情報が存在すると予測される前記ヘッダ領域内の範囲を設定する範囲設定手段と、
前記ヘッダアドレス情報検出手段により検出された複数のアドレス情報が前記範囲設定手段にて設定された範囲内に位置するか否かを判定する位置判定手段と、
前記位置判定手段の判定結果に基づいて、前記光ディスク内の前記ヘッダ領域に続いて配置される記録領域内のアクセスすべき先頭位置を予測する先頭位置予測手段と、を備えることを特徴とする光ディスク装置。
【請求項３】
光ディスクのヘッダ領域を検出するヘッダ領域検出手段と、
前記ヘッダ領域に記録された複数のアドレス情報を検出するヘッダアドレス情報検出手段と、
前記ヘッダ領域内に前記複数のアドレス情報が存在すると予測される範囲を設定する第１の範囲設定手段と、
前記ヘッダアドレス情報検出手段にて検出された前記複数のアドレス情報が前記第１の範囲設定手段にて設定された範囲内に位置するか否かを判定する第１の位置判定手段と、
前記ヘッダアドレス情報検出手段にて検出された一部の前記アドレス情報の位置からの間隔に基づいて、前記ヘッダ領域内の残りの前記アドレス情報が存在すると予測される前記ヘッダ領域内の範囲を設定する第２の範囲設定手段と、
前記ヘッダアドレス情報検出手段により検出された複数のアドレス情報が前記第２の範囲設定手段にて設定された範囲内に位置するか否かを判定する第２の位置判定手段と、
前記第１の位置判定手段の判定結果と前記第２の位置判定手段の判定結果との少なくとも一方を選択する判定結果選択手段と、
前記判定結果選択手段の判定結果に基づいて、前記光ディスク内の前記ヘッダ領域に続いて配置される記録領域内のアクセスすべき先頭位置を予測する先頭位置予測手段と、を備えることを特徴とする光ディスク装置。
【請求項４】
前記第１の範囲設定手段にて設定される範囲は、前記第２の範囲設定手段にて設定される範囲よりも広いことを特徴とする請求項３に記載の光ディスク装置。
【請求項５】
前記光ディスクは、DVD-RAMであり、
前記ヘッダ情報検出手段は、前記光ディスクのセクターアドレスを特定するIDを前記複数のアドレス情報として検出することを特徴とする請求項１乃至４のいずれかに記載の光ディスク装置。
【発明の詳細な説明】
【技術分野】
【０００１】
本発明は、ヘッダ領域と記録領域とが連続して配置された光ディスクの記録／再生を行う光ディスク装置に関する。
【背景技術】
【０００２】
光ディスクの一種であるDVD-RAMには、セクタを単位として情報が記録されており、セクタごとにヘッダ領域と記録領域とが設けられている。DVD-RAMの記録および再生を行う場合、ヘッダ領域内のPID（Physical ID）を検出して、そのエラー判定を行い、その判定結果に基づいてセクタのアドレスが正しいか否かを判定する処理動作が提案されている（特許文献１参照）。
【０００３】
ヘッダ領域内には複数のPIDが設けられているが、粗悪ディスクの再生や再生時の外乱等の影響により、複数のPIDのデータをいずれも誤って検出し、その結果、エラーなしと誤判定する場合がありうる。この場合、セクタアドレスを誤って確定してしまい、正常な記録および再生処理が行えなくなる。
【０００４】
また、PIDの検出結果に基づいて、記録領域の先頭位置を予測するため、上述したようにPIDを誤認識すると、先頭位置の予測も正しく行えなくなる。
【特許文献１】特開平11-213392号公報
【発明の開示】
【発明が解決しようとする課題】
【０００５】
本発明は、セクタアドレスと記録領域の先頭位置とを簡易かつ正確に検出可能な光ディスク装置を提供するものである。
【課題を解決するための手段】
【０００６】
本発明の一態様によれば、光ディスクのヘッダ領域を検出するヘッダ領域検出手段と、前記ヘッダ領域に記録された複数のアドレス情報を検出するヘッダアドレス情報検出手段と、前記ヘッダ領域内に前記複数のアドレス情報が存在すると予測される範囲を設定する範囲設定手段と、前記ヘッダアドレス情報検出手段にて検出された前記複数のアドレス情報が前記範囲設定手段にて設定された範囲内に位置するか否かを判定する位置判定手段と、前記位置判定手段の判定結果に基づいて、前記光ディスク内の前記ヘッダ領域に続いて配置される記録領域内のアクセスすべき開始位置と前記ヘッダ領域に対応するセクタアドレスとを予測する先頭位置予測手段と、を備えることを特徴とする光ディスク装置が提供される。
【０００７】
また、本発明の一態様によれば、光ディスクのヘッダ領域を検出するヘッダ領域検出手段と、前記ヘッダ領域に記録された複数のアドレス情報を検出するヘッダアドレス情報検出手段と、前記ヘッダアドレス情報検出手段にて検出された一部の前記アドレス情報の位置からの間隔に基づいて、前記ヘッダ領域内の残りの前記アドレス情報が存在すると予測される前記ヘッダ領域内の範囲を設定する範囲設定手段と、前記ヘッダアドレス情報検出手段により検出されたアドレス情報が前記範囲設定手段にて設定された範囲内に位置するか否かを判定する位置判定手段と、前記位置判定手段の判定結果に基づいて、前記光ディスク内の前記ヘッダ領域に続いて配置される記録領域内のアクセスすべき先頭位置を予測する先頭位置予測手段と、を備えることを特徴とする光ディスク装置が提供される。
【０００８】
また、本発明の一態様によれば、光ディスクのヘッダ領域を検出するヘッダ領域検出手段と、前記ヘッダ領域に記録された複数のアドレス情報を検出するヘッダアドレス情報検出手段と、前記ヘッダ領域内に前記複数のアドレス情報が存在すると予測される範囲を設定する第１の範囲設定手段と、前記ヘッダアドレス情報検出手段にて検出された前記複数のアドレス情報が前記第１の範囲設定手段にて設定された範囲内に位置するか否かを判定する第１の位置判定手段と、前記ヘッダアドレス情報検出手段にて検出された一部の前記アドレス情報の位置からの間隔に基づいて、前記ヘッダ領域内の残りの前記アドレス情報が存在すると予測される前記ヘッダ領域内の範囲を設定する第２の範囲設定手段と、前記ヘッダアドレス情報検出手段により検出されたアドレス情報が前記第２の範囲設定手段にて設定された範囲内に位置するか否かを判定する第２の位置判定手段と、前記第１の位置判定手段の判定結果と前記第２の位置判定手段の判定結果との少なくとも一方を選択する判定結果選択手段と、前記判定結果選択手段の判定結果に基づいて、前記光ディスク内の前記ヘッダ領域に続いて配置される記録領域内のアクセスすべき先頭位置を予測する先頭位置予測手段と、を備えることを特徴とする光ディスク装置が提供される。
【発明の効果】
【０００９】
本発明によれば、セクタアドレスと記録領域の先頭位置とを簡易かつ正確に検出することができる。
【発明を実施するための最良の形態】
【００１０】
以下、図面を参照しながら、本発明の一実施形態を説明する。
【００１１】
図１は本発明の一実施形態に係る光ディスク装置の主要部における概略構成を示すブロック図である。図２は本実施形態に係る光ディスク装置の概略構成を示すブロック図である。
【００１２】
まず、図２に基づいて光ディスク装置の概略構成を説明する。図２の光ディスク装置は、ディスクモータ１と、ディスクモータ制御部２と、光ピックアップヘッド（PU）３と、光ピックアップヘッド３の焦点調節制御を行うフォーカス制御部４と、光ピックアップヘッド３のトラック方向の位置制御を行うトラッキング制御部５と、光ディスク６の再生制御を行う再生制御部７と、光ディスク６の記録制御を行う記録制御部８と、光ディスク６から読み出したデータのエラー訂正を行うエラー訂正部９と、エラー訂正結果等を格納するメモリ１０と、ホストコンピュータ１１とのインタフェース部１２とを備えている。
【００１３】
再生制御部７は、再生アンプ１３と、PLL回路１４と、図１に詳細構成を示す同期／復調部１５とを有する。記録制御部８は、変調部１６と、記録波形生成部１７と、レーザ制御部（LD）１８とを有する。
【００１４】
次に、本実施形態の特徴部分である同期／復調部１５の構成を図１を用いて説明する。図１の同期／復調部１５は、同期検出部２１と、信号復調部２２と、信頼性判定部２３と、ヘッダ領域検出部２４と、アドレス情報位置判定部２５と、アドレス情報間隔計測部２６と、アドレス情報位置判定結果保持部２７と、アドレス情報位置判定動作選択部２８と、記録領域開始位置判定部２９と、PID保持部３０と、セクタアドレス確定部３１とを有する。
【００１５】
光ピックアップヘッド３にて読み取ったディスク再生信号は、同期検出部２１とヘッダ領域検出部２４に入力される。ヘッダ領域検出部２４は、ディスク再生信号に基づいてヘッダ領域を検出する。同期検出部２１は、ヘッダ領域内のAMパターンを検出する。このAMパターンは同期信号であり、同期検出部２１の後段側の各部は、AMパターンに同期して各処理を行う。
【００１６】
信号復調部２２はディスク再生信号を復調し、光ディスクのセクターアドレスを特定するID、ここでは４種類のPID（Physical ID）を生成する。信頼性判定部２３は復調信号のシンドローム演算判定を行い、PIDを検出したことを示すPIDnOKパルス（ただし、ｎ＝１〜４）を生成する。
【００１７】
図３はヘッダ領域信号とPIDnOKパルスのタイミングの一例を示す図である。図３に示すように、通常は同一のヘッダ領域内にPID1OKパルス、PID2OKパルス、PID3OKパルス、PID4OKパルスが一つずつ検出される。これら４つのPIDnOKパルス（ｎ＝１〜４）に基づいて、記録領域のアクセスすべき開始位置が予測される。
【００１８】
図１のヘッダ領域検出部２４は、PIDを検出する際に、ヘッド領域信号のタイミングを調整し、ヘッド領域信号が未検出の場合にはそれ以前のタイミングを継続するようにフライホイール動作を行う。
【００１９】
記録開始位置判定部２９は、PIDnOKパルスを基準として、光ディスク６のウォブル等により生成されたチャネルクロックに同期して、記録領域のアクセスすべき開始位置を予測する。この開始位置から記録または再生が行われる。
【００２０】
アドレス情報位置判定部２５は、ヘッダ領域内に予測ウインドウを設定し、予測ウインドウ内にPIDnOKパルスが存在するか否かを判定する。なお、予測ウインドウの設定は、ヘッダ領域検出部２４で行ってもよい。
【００２１】
図４はアドレス情報位置判定部２５とアドレス情報間隔計測部２６の内部構成を示すブロック図である。図示のように、アドレス情報位置判定部２５は、予測ウインドウ設定部３５と、判定部３２とを有する。予測ウインドウ設定部３５は、ヘッダ領域内でPIDnOKパルスが出現すると予測される範囲を表す予測ウインドウを設定する。判定部３２は、予測ウインドウ内にPIDnOKパルスが出現するか否かを判定する。
【００２２】
アドレス情報間隔計測部２６は、図４に内部構成を示すように、間隔計測ウインドウ設定部３３と、判定部３４とを有する。間隔計測ウインドウ設定部３３は、先に検出されたPIDnOKパルスを起点として、その後に出現する他のPIDnOKパルスまでの間隔を検出し、検出した間隔ごとに間隔計測ウインドウを設定する。判定部３４は、間隔計測ウインドウ内にPIDnOKパルスが出現するか否かを判定する。
【００２３】
図１のアドレス情報位置判定結果保持部２７は、直前またはそれ以前のPIDnOKパルスの検出結果を記憶する。より具体的には、アドレス情報位置判定部２５の判定結果とアドレス情報間隔計測部２６の判定結果とを記憶する。
【００２４】
アドレス情報位置判定動作選択部２８は、アドレス情報位置判定部２５による判定結果とアドレス情報間隔計測部２６による判定結果とのいずれか一方を選択する。
【００２５】
PID保持部３０は、信頼性判定部２３により信頼性が保証されたPIDを記憶する。セクタアドレス確定部３１は、PID保持部３０に記憶されたPIDと、アドレス情報位置判定部２５およびアドレス情報間隔計測部２６の判定結果とに基づいて、セクタアドレスを確定する。
【００２６】
図５はDVD-RAMのトラックレイアウトを示す図である。DVD-RAMでは、１セクタごとにヘッダ領域を有する。各ヘッダ領域は４つのヘッダフィールドｆ１〜ｆ４からなる。４つのヘッダフィールドｆ１〜ｆ４は２つずつをペアとして、記録領域であるランドトラックとグルーブトラックに対して1/2トラックずつずらして配置されている。ペアになった２つのヘッダフィールド（ｆ１，ｆ２）、（ｆ３，ｆ４）はそれぞれ同じPIDを持つ。例えば、４つのヘッダフィールドのPIDが#(m+N)、#(m+N)、#(m)、#(m)の場合、セクタアドレスは#(m)になる。
【００２７】
図６はヘッダ領域の詳細フォーマットを示す図である。ヘッダ領域を構成する４つのヘッダフィールドのそれぞれは、VF0、AM、PIDn（ｎは１〜４）、IED、PAの５つの情報からなる。これらのうち、AMは同期用のAMパターン、IEDはPIDの復調結果を判定するためのIDエラー検出コードである。
【００２８】
DVD-RAMディスクの再生処理を行う際、外乱の影響や粗悪ディスクなどにより、同期／復調部１５に入力される信号品位が劣悪である可能性がある。このような場合、同一のヘッダ領域内で同じPIDnOKパルス（例えば、PID1OKパルス）が複数回検出されるおそれがある。例えば、図７は同一ヘッダ領域内にPID1OKパルスが２回検出され、他のPIDnOKパルス（ｎ＝２〜４）が検出されなかった例を示している。この場合、検出されたPID1OKパルスに基づいて記録領域の開始位置を予測することになるが、PID1OKパルスが２回検出されているため、記録領域の開始位置を正しく予測できない。
【００２９】
そこで、本実施形態では、アドレス情報位置判定部２５が設定した予測ウインドウ内にPIDnOKパルスが出現するか否かを判定する。図８は予測ウインドウを設定する例を示すタイミング図である。図８の場合、PID1用の予測ウインドウｗ１内にPID1OKパルスｐ１が存在するため、このパルスの位置は正しいと判断される。この判断は、図１のアドレス情報位置判定部２５で行う。一方、その後に出現したPID1OKパルスｐ２はその位置に予測ウインドウｗ１が存在しないため、無効と判断される。
【００３０】
図８では、他のPIDnOKパルス（ｎ＝２〜４）に対応する予測ウインドウｗ２〜ｗ４の位置にはPIDnOKパルスは出現していないが、正しいと判定されたPID1OKパルスに基づいて記録領域の開始位置を正しく予測することができる。
【００３１】
このように、第１の実施形態では、PIDnOKパルスが出現すると予測される位置に予め予測ウインドウを設定し、PIDnOKパルスが予測ウインドウ内に出現したか否かにより、PIDnOKパルスの位置が正常かどうかを判定するため、記録領域の開始位置を正しく予測できる。
【００３２】
上述した第１の実施形態では、図１のアドレス情報位置判定部２５の判定結果に基づいてPIDnOKパルスの位置判定を行うため、アドレス情報間隔計測部２６は省略してもよい。その場合、アドレス情報位置判定動作選択部２８は選択動作を行わずに、アドレス情報位置判定部２５の判定結果に応じた信号を記録領域開始位置判定部２９に送る。
【００３３】
（第２の実施形態）
第２の実施形態では、予測ウインドウの他に、間隔計測ウインドウを設定してPIDnOKパルスの位置判定を行うものである。
【００３４】
図９は第２の実施形態によるタイミング図である。図１のアドレス情報間隔計測部２６は、最初のPID1OKパルスが検出された時点を起点として、それ以降に出現されるPIDnOKパルス（ｎ＝２〜４）までの間隔を予測し、その予測された間隔位置に間隔計測ウインドウｗ５〜ｗ７を設定する。これら間隔計測ウインドウｗ５〜ｗ７は、いずれもPID1OKパルスからの間隔により設定される。仮に、PID1OKパルスが検出されずに、PID2OKパルスが最初に検出された場合には、PID2OKパルスの位置を起点として間隔計測ウインドウｗ６，ｗ７が設定される。
【００３５】
アドレス情報間隔計測部２６内の判定部３４は、検出されたPIDnOKパルスが対応する間隔計測ウインドウ内に出現するか否かを判定し、出現する場合には、そのPIDnOKパルスの位置は正しいと判断する。この判定結果は、アドレス情報位置判定結果保持部２７に記憶される。
【００３６】
アドレス情報位置判定動作選択部２８は、第１の実施形態と同様の手法でアドレス情報位置判定部２５による判定結果と、上述したアドレス情報間隔計測部２６による判定結果の少なくとも一方に基づいて、最終的にPIDnOKパルスの位置を判定する。
【００３７】
図９の場合、４つのPIDnOKパルスのいずれもが対応する予測ウインドウｗ１〜ｗ４内に出現し、かつ３つのPIDnOKパルス（ｎ＝２〜４）が対応する間隔計測ウインドウｗ５〜ｗ７に出現する例を示している。この場合、アドレス情報位置判定動作選択部２８は、アドレス情報位置判定部２５とアドレス情報間隔計測部２６のいずれの判定結果を選択しても、記録領域の開始位置を正しく予測できる。
【００３８】
一方、図１０はPIDnOKパルスが対応する予測ウインドウ内に出現しない場合のタイミング図である。図１０の場合、４つのPIDnOKパルスのいずれもが対応する予測ウインドウｗ１〜ｗ４内に出現していない。この場合、第１の実施形態では、記録領域の開始位置を予測することができないが、本実施形態の図１のアドレス情報間隔計測部２６は、先頭のPID1OKパルスを起点として間隔計測ウインドウｗ５〜ｗ７を設定する。PIDnOKパルス（ｎ＝２〜４）はいずれも対応する間隔計測ウインドウｗ５〜ｗ７内に出現しているため、アドレス情報位置判定動作選択部２８は、アドレス情報位置判定部２５の判定結果は採用せず、アドレス情報間隔計測部２６の判定結果に基づいてPIDnOKパルスの位置が正しいと判定する。これにより、記録領域の開始位置を正しく予測することができる。
【００３９】
図１１は一部のPIDnOKパルスが間隔計測ウインドウ内に出現しない場合のタイミング図である。図１１の場合、最初に検出されたPID1OKパルスを起点として間隔計測ウインドウｗ５〜ｗ７が設定される。２番目のPID2OKパルスは予測ウインドウｗ２内に出現しているが、間隔計測ウインドウｗ５内には出現していない。したがって、PID2OKパルスの位置は正しくない可能性が高いと判断できる。一方、他のPIDnOKパルス（ｎ＝３，４）は対応する予測ウインドウｗ３，ｗ４内には出現していないが、対応する間隔計測ウインドウｗ６，ｗ７には出現している。間隔計測ウインドウｗ６，ｗ７はPID1OKパルスの位置を起点として設定されるため、結局、PID1OKパルス、PID3OKパルスおよびPID4OKパルスは正しい可能性が高いと判断できる。そこで、アドレス情報位置判定動作選択部２８は、PIDnOKパルス（ｎ＝１，３，４）の位置が正しいと判定し、その位置に基づいて記録領域の開始位置が判定される。
【００４０】
このように、第２の実施形態では、最初に検出されたPIDnOKパルスの位置を起点とする間隔により、他のPIDnOKパルスの位置を予測するための間隔計測ウインドウを設定するため、予測ウインドウだけではPIDnOKパルスの位置を正確に判定できない場合でも、PIDnOKパルスの位置を正しく検出できる。したがって、記録領域の開始位置とセクタアドレスをより精度よく予測できる。
【００４１】
（第３の実施形態）
第２の実施形態では、予測ウインドウと間隔計測ウインドウの両方を用いてPIDnOKパルスの位置を判定する例を説明したが、間隔計測ウインドウだけを用いてPIDnOKパルスの判定を行ってもよい。この場合、図１のアドレス情報位置判定部２５が不要となり、アドレス情報位置判定動作選択部は選択動作を行わず、アドレス情報間隔計測部２６の判定結果に基づいてPIDnOKパルスの位置判定を行う。
【００４２】
このように、第３の実施形態では、最初に検出されたPIDnOKパルスを起点として間隔計測ウインドウを設定し、間隔計測ウインドウ内にPIDnOKパルスが存在するか否かによりPIDnOKパルスの位置判定を行うため、第２の実施形態よりも簡易な構成かつ手順で記録領域のアクセスすべき開始位置を予測できる。
【図面の簡単な説明】
【００４３】
【図１】本発明の一実施形態に係る光ディスク装置の主要部における概略構成を示すブロック図。
【図２】本実施形態に係る光ディスク装置の概略構成を示すブロック図。
【図３】ヘッダ領域信号とPIDnOKパルスのタイミングの一例を示す図。
【図４】アドレス情報位置判定部２５とアドレス情報間隔計測部２６の内部構成を示すブロック図。
【図５】DVD-RAMのトラックレイアウトを示す図。
【図６】ヘッダ領域の詳細フォーマットを示す図。
【図７】同一ヘッダ領域内にPID1OKパルスが２回検出され、他のPIDnOKパルスが検出されなかった例を示す図。
【図８】予測ウインドウを設定する例を示すタイミング図。
【図９】第２の実施形態によるタイミング図。
【図１０】PIDnOKパルスが対応する予測ウインドウ内に出現しない場合のタイミング図。
【図１１】一部のPIDnOKパルスが間隔計測ウインドウ内に出現しない場合のタイミング図。
【符号の説明】
【００４４】
１５  同期／復調部
２１  同期検出部
２２  信号復調部
２３  信頼性判定部
２４  ヘッダ領域検出部
２５  アドレス情報位置判定部
２６  アドレス情報間隔計測部
２７  アドレス情報位置判定結果保持部
２８  アドレス情報位置判定動作選択部
２９  記録領域開始位置判定部
３０  PID保持部
３１  セクタアドレス確定部
３２，３４  判定部
３３  間隔計測ウインドウ設定部
３５  予測ウインドウ設定部
【図１】
2007026548.tif 000003
【図２】
2007026548.tif 000004
【図３】
2007026548.tif 000005
【図４】
2007026548.tif 000006
【図５】
2007026548.tif 000007
【図６】
2007026548.tif 000008
【図７】
2007026548.tif 000009
【図８】
2007026548.tif 000010
【図９】
2007026548.tif 000011
【図１０】
2007026548.tif 000012
【図１１】
2007026548.tif 000013